(57)【要約】【課題】デザイン性を損なわずに内部結露を防止することのできる二重サッシ構造を提供する。【解決手段】間隔をあけて二重に配置されたガラス板１２、１４と、ガラス板１２、１４を固定する枠部１８からなる二重サッシ構造１０であって、二重のガラス板１２、１４の外側の枠部１８に設けられ、二重のガラス板１２、１４に囲まれた空間Ｓに外部より乾燥空気を封入するための封入口５４と、二重のガラス板１２、１４の内側の枠部１８に設けられ、ガラス板１４を跨いで配置される空気通路３０を介して封入口５４と連通する内側連通口２８と、この内側連通口２８と連通し、二重のガラス板１２、１４に囲まれた空間Ｓに向けて開口する通気口６０と、封入口５４に着脱自在に取り付けられ、封入口５４を開閉するキャップ部材３６とを備えるようにする。【選択図】図１
2017186750.tif 000002
【特許請求の範囲】
【請求項１】
間隔をあけて二重に配置されたガラス板と、ガラス板を固定する枠部からなる二重サッシ構造であって、
二重のガラス板の外側の枠部に設けられ、二重のガラス板に囲まれた空間に外部より乾燥空気を封入するための封入口と、
二重のガラス板の内側の枠部に設けられ、ガラス板を跨いで配置される空気通路を介して封入口と連通する内側連通口と、この内側連通口と連通し、二重のガラス板に囲まれた空間に向けて開口する通気口と、
封入口に着脱自在に取り付けられ、封入口を開閉するキャップ部材とを備えることを特徴とする二重サッシ構造。
【請求項２】
キャップ部材の外端面が、天井仕上材、床仕上材と同面に形成されていることを特徴とする請求項１に記載の二重サッシ構造。
【請求項３】
乾燥空気を発生させるための乾燥空気発生装置を備え、この乾燥空気発生装置で発生した乾燥空気を封入口を通じて二重のガラス板に囲まれた空間に封入可能であることを特徴とする請求項１または２に記載の二重サッシ構造。
【発明の詳細な説明】
【技術分野】
【０００１】
本発明は、建物のガラス窓などに用いられる二重サッシ構造に関するものである。
【背景技術】
【０００２】
従来、ガラス板を２枚用いてガラス板の間に乾燥させた空気を封入して、音および熱の伝導を抑える効果を向上させた二重サッシが知られている（例えば、特許文献１を参照）。
【０００３】
こうした二重サッシでは通常、屋外側にいわゆるＬｏｗ−ｅガラスが配置され、屋内側にはフロートガラスが配置される。屋外側はＬｏｗ−ｅガラスのため、結露のおそれは限りなく少ないが、屋内側のフロートガラスが、室内側が０℃近く下がった時に内部結露を起こすおそれがあった。
【０００４】
一方、内側に開閉機構を設け、この開閉機構を開操作して２枚のガラス板により囲まれた内部空間の清掃や空気の入れ替えを可能にした二重サッシが知られている。しかしながら、内側に設けた開閉機構により建具の障子の見付が大きくなりデザイン性（意匠性）が損なわれる等の問題があった。
【先行技術文献】
【特許文献】
【０００５】
【特許文献１】特開２００９−０３５８６２号公報
【発明の概要】
【発明が解決しようとする課題】
【０００６】
このため、デザイン性を損なわずに内部結露を防止することのできる二重サッシ構造が望まれていた。
【０００７】
本発明は、上記に鑑みてなされたものであって、デザイン性を損なわずに内部結露を防止することのできる二重サッシ構造を提供することを目的とする。
【課題を解決するための手段】
【０００８】
上記した課題を解決し、目的を達成するために、本発明に係る二重サッシ構造は、間隔をあけて二重に配置されたガラス板と、ガラス板を固定する枠部からなる二重サッシ構造であって、二重のガラス板の外側の枠部に設けられ、二重のガラス板に囲まれた空間に外部より乾燥空気を封入するための封入口と、二重のガラス板の内側の枠部に設けられ、ガラス板を跨いで配置される空気通路を介して封入口と連通する内側連通口と、この内側連通口と連通し、二重のガラス板に囲まれた空間に向けて開口する通気口と、封入口に着脱自在に取り付けられ、封入口を開閉するキャップ部材とを備えることを特徴とする。
【０００９】
また、本発明に係る他の二重サッシ構造は、上述した発明において、キャップ部材の外端面が、天井仕上材、床仕上材と同面に形成されていることを特徴とする。
【００１０】
また、本発明に係る他の二重サッシ構造は、上述した発明において、乾燥空気を発生させるための乾燥空気発生装置を備え、この乾燥空気発生装置で発生した乾燥空気を封入口を通じて二重のガラス板に囲まれた空間に封入可能であることを特徴とする。
【発明の効果】
【００１１】
本発明に係る二重サッシ構造によれば、間隔をあけて二重に配置されたガラス板と、ガラス板を固定する枠部からなる二重サッシ構造であって、二重のガラス板の外側の枠部に設けられ、二重のガラス板に囲まれた空間に外部より乾燥空気を封入するための封入口と、二重のガラス板の内側の枠部に設けられ、ガラス板を跨いで配置される空気通路を介して封入口と連通する内側連通口と、この内側連通口と連通し、二重のガラス板に囲まれた空間に向けて開口する通気口と、封入口に着脱自在に取り付けられ、封入口を開閉するキャップ部材とを備えるので、封入空気の入れ替えの必要がない通常時にはキャップ部材を封入口に装着した状態として封入口を閉鎖し、ガラス板の交換の際などに二重のガラス板に囲まれた空間の空気を入れ替える時には、キャップ部材を取り外して封入口から乾燥空気を空間内部に封入することができる。また、このキャップ部材は枠部に設けた封入口に着脱自在に取り付けられるので目立たずサッシのデザイン性を損なわない。したがって、デザイン性を損なわずに内部結露を防止することができるという効果を奏する。
【００１２】
また、本発明に係る他の二重サッシ構造によれば、キャップ部材の外端面が、天井仕上材、床仕上材と同面に形成されているので、キャップ部材の納まり具合を目立たなくすることができるという効果を奏する。
【００１３】
また、本発明に係る他の二重サッシ構造によれば、乾燥空気を発生させるための乾燥空気発生装置を備え、この乾燥空気発生装置で発生した乾燥空気を封入口を通じて二重のガラス板に囲まれた空間に封入可能であるので、ガラス板の交換の際などに内部空気を入れ替える時には、乾燥空気発生装置からの乾燥空気を封入口から封入することで、内部結露を防止することができるという効果を奏する。
【図面の簡単な説明】
【００１４】
【図１】図１は、本発明に係る二重サッシ構造の実施の形態を示す側断面図である。
【図２】図２は、本発明に係る二重サッシ構造の空気通路ユニットの分解斜視図であり、（ａ）は通常時、（ｂ）は乾燥空気封入作業時の図である。
【図３】図３は、本発明に係る二重サッシ構造の実施の形態を示す水平断面図である。
【図４】図４は、本発明に係る二重サッシ構造の内部空間を示す部分斜視図である。
【発明を実施するための形態】
【００１５】
以下に、本発明に係る二重サッシ構造の実施の形態を図面に基づいて詳細に説明する。なお、この実施の形態によりこの発明が限定されるものではない。
【００１６】
図１に示すように、本発明に係る二重サッシ構造１０は、左右に間隔をあけて二重に配置された四角板状のガラス板１２、１４と、これらガラス板の四辺の縁部に配置され、これらガラス板を建物躯体１６に固定する枠部１８とを備える。屋外側のガラス板１２はガラス板１２Ａ、１２ＢからなるＬｏｗ−ｅガラスで構成され、屋内側のガラス板１４はフロートガラスで構成される。図１および図３に示すように、これらのガラス板はガスケット２０、２２により枠部１８に固定されている。
【００１７】
図１に示すように、上下の枠部１８には、二重のガラス板１２、１４に囲まれた空間Ｓに外部より乾燥空気を封入するための空気通路ユニット２４がそれぞれ気密性を確保して設けられている。この空気通路ユニット２４は、上下の枠部１８において図１の手前側と奥側に設けられている。また、上下の枠部１８の空気通路ユニット２４の内側連通口２８に対向する位置に通気口６０が設けられている。
【００１８】
上側と下側の空気通路ユニット２４は上下対称の構成であるため、下側の空気通路ユニット２４を例にとり説明する。図２（ａ）に示すように、空気通路ユニット２４は、外側連通口２６と、内側連通口２８と、Ｕ字状の空気通路３０とを有する空気入れ替え部材３２と、上下貫通口５４（封入口）を有する直方体状のソケット部材３４と、六角穴付ボルト３６（キャップ部材）と、シールワッシャー３８と、複数の固定部材４０Ａ〜４０Ｄとを備える。
【００１９】
外側連通口２６および内側連通口２８は上方に開口した四角形状の連通口であり、その縁部にはシール部材４２が設けてある。空気通路３０は外側連通口２６と内側連通口２８とを連通する矩形断面のＵ字状の通路であり、ガラス板１４を跨いで配置される。六角穴付ボルト３６は、六角柱状の凹部４４が形成された頭部４６と外周面にねじ山が形成された軸部４８を有する。
【００２０】
ソケット部材３４は、六角穴付ボルト３６の軸部４８が係合するねじ孔５０と、軸部４８に通されたシールワッシャー３８を挟んで頭部４６が嵌入可能な凹部５２からなる上下貫通口５４を有する。ソケット部材３４は、外側連通口２６のシール部材４２の上面に密着固定され、上下貫通口５４と外側連通口２６は連通状態となっている。固定部材４０Ａ〜４０Ｄはそれぞれ接合孔を有する部材であり、図示しない接合具を介して空気通路ユニット２４を枠部１８（図１を参照）に固定するものである。
【００２１】
より具体的には、固定部材４０Ａは外側連通口２６の縁部のシール部材４２の左右下面に当接配置され、シール部材４２とソケット部材３４とを密着して接合孔どうしに通される接合具で枠部１８（図１を参照）に固定される。固定部材４０Ｂは内側連通口２８の縁部のシール部材４２の左右下面に当接配置され、接合孔どうしに通される接合具で枠部１８に固定される。固定部材４０Ｃは空気入れ替え部材３２の内側連通口２８側の端部の舌状部の下面に当接配置され、接合孔どうしに通される接合具で枠部１８に固定される。固定部材４０Ｄは外側連通口２６の前面に当接配置され、固定部材４０Ａとともに接合孔どうしに通される接合具で枠部１８に固定される。
【００２２】
上記の空気通路ユニット２４において、ソケット部材３４の上下貫通口５４は、外部から二重のガラス板１２、１４に囲まれた空間Ｓに乾燥空気を封入するための封入口として機能する。また、六角穴付ボルト３６は、この封入口に着脱自在に取り付けられ、封入口を開閉するキャップ部材として機能する。なお、乾燥空気を入れ替えるときは封入口にアダプター（後述）を装着することになる。
【００２３】
より具体的には、空間Ｓの空気を入れ替えない通常時には、六角穴付ボルト３６の軸部４８をシールワッシャー３８に通してねじ孔５０に螺合し、頭部４６を凹部５２に嵌入することで上下貫通口５４に装着し、上下貫通口５４および外側連通口２６を閉鎖状態にしている。
【００２４】
ここで、装着時の六角穴付ボルト３６の頭部４６の端面４６Ａ（外端面）は、図１に示すように、天井仕上材５６、床仕上材５８と同面に形成されている。こうすることで、六角穴付ボルト３６の納まり具合を目立たなくすることができる。
【００２５】
一方、ガラス板１２の交換の際などに空間Ｓの内部空気を入れ替える時には、六角レンチ等で頭部４６を回し、六角穴付ボルト３６を上下貫通口５４から取り外してから上下貫通口５４を開放状態にする。その後、図２（ｂ）に示すように、上下貫通口５４に乾燥空気を封入するためのアダプター６２を装着する。
【００２６】
アダプター６２は、略円筒状のものであり、下側部分の外周面にはねじ山が形成されている。この下側部分をソケット部材３４のねじ孔５０に螺合して上下貫通口５４に装着する一方、上側部分に図示しない乾燥空気発生装置からのホース６４を外嵌装着する。こうすることで、アダプター６２を介して上下貫通口５４に乾燥空気を送り込むことが可能である。封入した乾燥空気は外側連通口２６、空気通路３０、内側連通口２８を通過して、図１および図４に示すように枠部１８の通気口６０より内部の空間Ｓに送り込まれる。
【００２７】
ここで、図１に示すように、下側の空気通路ユニット２４の上下貫通口５４から乾燥空気（例えば露点温度−１５．０℃程度の乾燥空気）を内部の空間Ｓに送り込んで空気流Ｆ１を形成すると同時に、上側の空気通路ユニット２４の上下貫通口５４に装着した吸引専用アダプターを通じて内部空気を吸引して空気流Ｆ２を形成するようにする。このようにすれば、空間Ｓの空気を乾燥空気に入れ替えることができる。なお、乾燥空気を封入した後は、上下貫通口５４からアダプター６２を取り外し、ここに六角穴付ボルト３６を装着して上下貫通口５４を閉鎖状態にすればよい。
【００２８】
このように、本実施の形態によれば、封入空気の入れ替えの必要がない通常時には六角穴付ボルト３６を上下貫通口５４に装着した状態として上下貫通口５４を閉鎖し、ガラス板１２の交換の際などに空間Ｓの空気を入れ替える時には六角穴付ボルト３６を取り外して上下貫通口５４から乾燥空気を内部に封入することができる。また、この六角穴付ボルト３６は枠部１８に設けた上下貫通口５４に着脱自在に取り付けられるので目立たずサッシのデザイン性を損なわない。したがって、デザイン性を損なわずに内部結露を防止することができる。
【００２９】
また、万が一夏場にガラス板が破損して交換せざるを得なくなった場合にも、空間Ｓに封入される空気を入れ替えることができるため、内部結露のリスクが大幅に軽減される。さらに、本実施の形態は、デザイン面でも大掛かりな機構ではないことから、枠部１８内に目立たなく納めることができる。六角穴付ボルト３６は六角レンチ等の専用の工具が無いと取り外せないため、いたずらによる取り外しなど意図しない取り外しを防ぐことができる。
【００３０】
なお、上記の実施の形態において、乾燥空気を発生させるための乾燥空気発生装置を備えてもよい。この乾燥空気発生装置で発生した乾燥空気を上下貫通口５４、外側連通口２６、内側連通口２８、通気口６０を通じて二重のガラス板１２、１４に囲まれた空間Ｓに封入可能としてもよい。これにより、ガラス板の交換の際などに空間Ｓの空気を入れ替える時には、乾燥空気発生装置からの乾燥空気を封入することで、空間Ｓにおける内部結露を防止することができる。
【００３１】
以上説明したように、本発明に係る二重サッシ構造によれば、間隔をあけて二重に配置されたガラス板と、ガラス板を固定する枠部からなる二重サッシ構造であって、二重のガラス板の外側の枠部に設けられ、二重のガラス板に囲まれた空間に外部より乾燥空気を封入するための封入口と、二重のガラス板の内側の枠部に設けられ、ガラス板を跨いで配置される空気通路を介して封入口と連通する内側連通口と、この内側連通口と連通し、二重のガラス板に囲まれた空間に向けて開口する通気口と、封入口に着脱自在に取り付けられ、封入口を開閉するキャップ部材とを備えるので、封入空気の入れ替えの必要がない通常時にはキャップ部材を封入口に装着した状態として封入口を閉鎖し、ガラス板の交換の際などに二重のガラス板に囲まれた空間の空気を入れ替える時には、キャップ部材を取り外して封入口から乾燥空気を空間内部に封入することができる。また、このキャップ部材は枠部に設けた封入口に着脱自在に取り付けられるので目立たずサッシのデザイン性を損なわない。したがって、デザイン性を損なわずに内部結露を防止することができる。
【００３２】
また、本発明に係る他の二重サッシ構造によれば、キャップ部材の外端面が、天井仕上材、床仕上材と同面に形成されているので、キャップ部材の納まり具合を目立たなくすることができる。
【００３３】
また、本発明に係る他の二重サッシ構造によれば、乾燥空気を発生させるための乾燥空気発生装置を備え、この乾燥空気発生装置で発生した乾燥空気を封入口を通じて二重のガラス板に囲まれた空間に封入可能であるので、ガラス板の交換の際などに内部空気を入れ替える時には、乾燥空気発生装置からの乾燥空気を封入口から封入することで、内部結露を防止することができる。
【産業上の利用可能性】
【００３４】
以上のように、本発明に係る二重サッシ構造は、建物のガラス窓などに用いられる二重サッシ構造に有用であり、特に、デザイン性を損なわずに内部結露を防止するのに適している。
【符号の説明】
【００３５】
１０  二重サッシ構造
１２，１２Ａ，１２Ｂ，１４  ガラス板
１６  建物躯体
１８  枠部
２０，２２  ガスケット
２４  空気通路ユニット
２６  外側連通口
２８  内側連通口
３０  空気通路
３２  空気入れ替え部材
３４  ソケット部材
３６  六角穴付ボルト（キャップ部材）
３８  シールワッシャー
４０Ａ〜４０Ｄ  固定部材
４２  シール部材
４４  凹部
４６  頭部
４６Ａ  端面（外端面）
４８  軸部
５０  ねじ孔
５２  凹部
５４  上下貫通口（封入口）
５６  天井仕上材
５８  床仕上材
６０  通気口
６２  アダプター
６４  ホース
Ｆ１，Ｆ２  空気流
Ｓ  空間
【図１】
2017186750.tif 000003
【図２】
2017186750.tif 000004
【図３】
2017186750.tif 000005
【図４】
2017186750.tif 000006